(57)【要約】【課題】ジャンクションボックス本体を電線群に容易に固定することができ、ジャンクションボックス本体の要保護外面と他の部材との干渉を防止することができるジャンクションボックスおよびワイヤハーネスを提供する。【解決手段】  一方の外面１１と他方の外面１２との間に要保護外面１３を有して、一方の外面および他方の外面に第１の凹条溝１４および第２の凹条溝１５を形成したジャンクションボックス本体１０と、ジャンクションボックス本体を挟む溝形材状に形成され、かつ第１の凹条溝に係合する第１のリブ３１を有する第１のカバー３０と、ジャンクションボックス本体を挟む溝形材状に形成され、かつ第２の凹条溝に係合する第２のリブ５１を有する第２のカバー５０と、を備え、第１のカバー３０および第２のカバー５０に電線群に沿って延びるテープ巻き付け固定用張出部３４，５４を形成した構成を備える。【選択図】図２
2016116335.tif 000002
【特許請求の範囲】
【請求項１】
互いに平行な一方の外面と他方の外面との間に要保護外面を有して、前記一方の外面および前記他方の外面に一縁部から他縁部に向けて延びる第１の凹条溝を形成し、前記一方の外面および前記他方の外面に他縁部から一縁部に向けて延びる第２の凹条溝を形成したジャンクションボックス本体と、
前記要保護外面、前記一方の外面および前記他方の外面に沿って凹条溝長手方向に移動するように前記ジャンクションボックス本体を挟む溝形材状に形成され、かつ前記第１の凹条溝に摺動可能に係合する第１のリブを有する第１のカバーと、
前記要保護外面、前記一方の外面および前記他方の外面に沿って凹条溝長手方向に移動するように前記ジャンクションボックス本体を挟む溝形材状に形成され、かつ前記第２の凹条溝に摺動可能に係合する第２のリブを有する第２のカバーと、を備え、
前記第１のカバーおよび前記第２のカバーは、凹条溝長手方向に相互に近接させたときに内側と外側とに位置して重なり合う部分を有し、かつ前記重なり合う部分にカバー同士を固定するロック手段を有し、
前記第１のカバーおよび前記第２のカバーの少なくとも一方に、前記第１のカバーおよび前記第２のカバーを組み付けた前記ジャンクションボックス本体を電線群に載せた状態で、前記電線群に沿って延びるテープ巻き付け固定用張出部を形成したことを特徴とするジャンクションボックス。
【請求項２】
前記ジャンクションボックス本体の前記一方の外面おける前記第１の凹条溝および前記他方の外面における前記第２の凹条溝は、あり溝として形成され、前記第１のカバーにおける前記第１のリブおよび前記第２のカバーにおける前記第２のリブは、あり形として形成されたことを特徴とする請求項１に記載のジャンクションボックス。
【請求項３】
前記ジャンクションボックス本体は、前記要保護外面に電装品が装着され、前記第１のカバーおよび前記第２のカバーは、前記電装品と干渉しないように形成されたことを特徴とする請求項１または２に記載のジャンクションボックス。
【請求項４】
前記ジャンクションボックス本体は、前記要保護外面、前記一方の外面および前記他方の外面以外の他の外面に、前記電線群より分岐した電線の端末が接続される電線接続用端子を有することを特徴とする請求項１ないし３のいずれか１項に記載のジャンクションボックス。
【請求項５】
請求項１ないし３のいずれか１項に記載のジャンクションボックスと、電線群とを有し、前記電線群およびテープ巻き付け固定用張出部に粘着テープを一体に巻き付けてテープ巻き固定部を形成したことを特徴とするワイヤハーネス。
【発明の詳細な説明】
【技術分野】
【０００１】
本発明は、ジャンクションボックスおよびワイヤハーネスに関する。
【背景技術】
【０００２】
従来、車両に配索されるワイヤハーネスには、電線同士を直接あるいは電装品を介して結合、分岐、または中継するためのジャンクションボックスとして電気接続箱が外装されている（例えば、特許文献１参照）。
【０００３】
図５に示すように、電気接続箱１００は、アッパケース１０１とロアケース１０２とを有し、ロアケース１０２に取り付けられ、内部の図示しないプリント基板と電気的に接続された雌コネクタ１０３と、ワイヤハーネス１０５から分岐している電線１０６の先端に取り付けられた雄コネクタ１０４とが接続されている。
【先行技術文献】
【特許文献】
【０００４】
【特許文献１】特開２０１２−１２５１１７号公報
【発明の概要】
【発明が解決しようとする課題】
【０００５】
しかしながら、特許文献１に記載された電気接続箱１００は、ロアケース１０２の両端部のそれぞれからワイヤハーネス１０５の電線軸方向に突出する固定部１０７を、ハーネスクランプ１０８を用いてワイヤハーネス１０５の所定個所に固定するという煩雑な作業が必要であり、さらに、電気接続箱１００において電装品等が装着される要保護外面と他の部材との干渉を防止することについては考慮されていないという問題があった。
【０００６】
本発明は、上述のような課題を解決するためになされたもので、ジャンクションボックス本体を電線群に容易に固定することができ、ジャンクションボックス本体の要保護外面と他の部材との干渉を防止することができるジャンクションボックスおよびワイヤハーネスを提供することを目的としている。
【課題を解決するための手段】
【０００７】
本発明に係るジャンクションボックスは、上記目的達成のため、互いに平行な一方の外面と他方の外面との間に要保護外面を有して、前記一方の外面および前記他方の外面に一縁部から他縁部に向けて延びる第１の凹条溝を形成し、前記一方の外面および前記他方の外面に他縁部から一縁部に向けて延びる第２の凹条溝を形成したジャンクションボックス本体と、前記要保護外面、前記一方の外面および前記他方の外面に沿って凹条溝長手方向に移動するように前記ジャンクションボックス本体を挟む溝形材状に形成され、かつ前記第１の凹条溝に摺動可能に係合する第１のリブを有する第１のカバーと、前記要保護外面、前記一方の外面および前記他方の外面に沿って凹条溝長手方向に移動するように前記ジャンクションボックス本体を挟む溝形材状に形成され、かつ前記第２の凹条溝に摺動可能に係合する第２のリブを有する第２のカバーと、を備え、前記第１のカバーおよび前記第２のカバーは、凹条溝長手方向に相互に近接させたときに内側と外側とに位置して重なり合う部分を有し、かつ前記重なり合う部分にカバー同士を固定するロック手段を有し、前記第１のカバーおよび前記第２のカバーの少なくとも一方に、前記第１のカバーおよび前記第２のカバーを組み付けた前記ジャンクションボックス本体を電線群に載せた状態で、前記電線群に沿って延びるテープ巻き付け固定用張出部を形成した構成を備える。
【０００８】
本発明に係るジャンクションボックスは、第１のカバーおよび第２のカバーの少なくとも一方に、第１のカバーおよび第２のカバーを組み付けたジャンクションボックス本体を電線群に載せた状態で、電線群に沿って延びるテープ巻き付け固定用張出部を形成した構成であるので、電線群およびテープ巻き付け固定用張出部に粘着テープを一体に巻き付けてテープ巻き固定部を軽軽することにより、電線群に第１のカバーおよび第２のカバーを介してジャンクションボックス本体を容易に固定することができる。
【０００９】
本発明に係るジャンクションボックスは、第１のカバーおよび第２のカバーを、要保護外面、一方の外面および他方の外面に沿って凹条溝長手方向に移動するようにジャンクションボックス本体を挟む溝形材状に形成した構成であるので、第１のカバーおよび第２のカバーでジャンクションボックス本体の要保護外面を覆うことによって、ジャンクションボックス本体の要保護外面と他の部材との干渉を防止することができる。
【００１０】
上述したジャンクションボックスにおいて、前記ジャンクションボックス本体の前記一方の外面おける前記第１の凹条溝および前記他方の外面における前記第２の凹条溝は、あり溝状として形成され、前記第１のカバーにおける前記第１のリブおよび前記第２のカバーにおける前記第２のリブは、あり形として形成された構成とすることが好ましい。
【００１１】
本発明に係るジャンクションボックスは、第１の凹条溝および第２の凹条溝をあり溝として形成し、第１のリブおよび第２のリブをあり形として形成した構成であるので、第１の凹条溝および第２の凹条溝から第１のリブおよび第２のリブが、凹条溝長手方向に対して直交する方向に抜け出すことがない。
【００１２】
上述したジャンクションボックスにおいて、前記ジャンクションボックス本体は、前記要保護外面に電装品が装着され、前記第１のカバーおよび前記第２のカバーは、前記電装品と干渉しないように形成された構成とすることが好ましい。
【００１３】
本発明に係るジャンクションボックスは、第１のカバーおよび第２のカバーを、ジャンクションボックス本体の要保護外面に装着した電装品と干渉しないように形成した構成であるので、第１のカバーおよび第２のカバーでジャンクションボックス本体の要保護外面に装着した電装品を覆うことによって、電装品と他の部材との干渉を防止することができる。
【００１４】
上述したジャンクションボックスにおいて、前記ジャンクションボックス本体は、前記要保護外面、前記一方の外面および前記他方の外面以外の他の外面に、前記電線群より分岐した電線の端末が接続される電線接続用端子を有する構成とすることが好ましい。
【００１５】
本発明に係るジャンクションボックスは、ジャンクションボックス本体の前記要保護外面、一方の外面および他方の外面以外の他の外面に、電線群より分岐した電線の端末が接続される電線接続用端子を有する構成であるので、ジャンクションボックス本体に電線群より分岐した電線の端末を容易に接続することができる。
【００１６】
本発明に係るワイヤハーネスは、上述したいずれかのジャンクションボックスと、電線群とを有し、前記電線群およびテープ巻き付け固定用張出部に粘着テープを一体に巻き付けてテープ巻き固定部を形成した構成を備える。
【００１７】
本発明に係るワイヤハーネスは、第１のカバーおよび第２のカバーの少なくとも一方に、第１のカバーおよび第２のカバーを組み付けたジャンクションボックス本体を電線群に載せた状態で、電線群に沿って延びるテープ巻き付け固定用張出部を形成した構成であるので、電線群およびテープ巻き付け固定用張出部に粘着テープを一体に巻き付けてテープ巻き固定部を形成することにより、電線群に第１のカバーおよび第２のカバーを介してジャンクションボックス本体を容易に固定することができる。
【００１８】
本発明に係るワイヤハーネスは、第１のカバーおよび第２のカバーを、要保護外面、一方の外面および他方の外面に沿って凹条溝長手方向に移動するようにジャンクションボックス本体を挟む溝形材状に形成した構成であるので、第１のカバーおよび第２のカバーでジャンクションボックス本体の要保護外面を覆うことによって、ジャンクションボックス本体の要保護外面と他の部材との干渉を防止することができる。
【発明の効果】
【００１９】
本発明によれば、ジャンクションボックス本体を電線群に容易に固定することができ、ジャンクションボックス本体の要保護外面と他の部材との干渉を防止することができるジャンクションボックスおよびワイヤハーネスを提供することができる。
【図面の簡単な説明】
【００２０】
【図１】本発明に係るワイヤハーネスの斜視図である。
【図２】本発明の実施の形態に係るジャンクションボックスを構成するジャンクションボックス本体に第１のカバーおよび第２のカバーを組み付ける前の状態を示す斜視図である。
【図３】本発明の実施の形態に係るジャンクションボックスを構成するジャンクションボックス本体に電装品を装着する前の状態を示す斜視図である。
【図４】本発明の実施の形態に係るジャンクションボックスを構成する第１のカバーおよび第２のカバーを組み合わせた状態を示す斜視図である。
【図５】従来の電気接続箱の斜視図である。
【発明を実施するための形態】
【００２１】
以下、本発明の実施の形態に係るジャンクションボックスおよびワイヤハーネスについて、図面を参照して説明する。
【００２２】
図１に示すように、本発明の実施の形態に係るワイヤハーネス１は、電線群２と、ジャンクションボックス３と、を有している。電線群２は、複数の電線２ａを束ねたもので、所定数の電線２ａが分岐している。
【００２３】
図２に示すように、ジャンクションボックス３は、ジャンクションボックス本体１０と、第１のカバー３０と、第２のカバー５０とを備えている。
【００２４】
図３に示すように、ジャンクションボックス本体１０は、互いに平行な一方の外面１１と他方の外面１２と、これら外面１１，１２の間に位置して外面１１,１２に直交する要保護外面１３とを有する略直方体状に形成され、図示しないプリント基板を収容している。
【００２５】
ジャンクションボックス本体１０は、一方の外面１１および他方の外面１２に、一縁部から他縁部に向けて要保護外面１３に平行に延びる第１の凹条溝１４を形成し、一方の外面１１および他方の外面１２に、他縁部から一縁部に向けて要保護外面１３に平行に延びる第２の凹条溝１５を形成している。
【００２６】
これら第１の凹条溝１４および第２の凹条溝１５は、横断面において、溝開口部の幅が狭く、溝内底部の幅広いあり溝として形成されている。また、第１の凹条溝１４と第２の凹条溝１５とは、互いに平行であって連通していない。
【００２７】
ジャンクションボックス本体１０は、要保護外面１３に電装品接続用端子１６，１７を取り付けている。電装品接続用端子１６は、前述のプリント基板の回路に電気的に接続されており、電装品であるリレー１８の端子１８ａが嵌合している。電装品接続用端子１７は、前述のプリント基板の回路に電気的に接続されており、電装品であるヒューズ１９の端子１９ａが嵌合している。すなわち、ジャンクションボックス本体１０は、要保護外面１３に電装品であるリレー１８およびヒューズ１９を装着している。
【００２８】
ジャンクションボックス本体１０は、外面１１，外面１２および要保護外面１３以外の所定の外面２０に電線接続用端子２１を取り付けている。電線接続用端子２１は、前述のプリント基板の回路に電気的に接続されており、電線群２から分岐した電線２ａの端末が接続されている。
【００２９】
第１のカバー３０は、要保護外面１３、一方の外面１１および他方の外面１２に沿って凹条溝長手方向に移動するようにジャンクションボックス本体１０を挟む溝形材状に形成され、ジャンクションボックス本体１０の挟む開口縁部に、前述の第１の凹条溝１４に摺動可能に係合する第１のリブ３１を有している。第１のリブ３１は、横断面において、リブ根元部の幅が狭く、リブ先端部の幅広いあり溝として形成されている。
【００３０】
第１のカバー３０は、第１のリブ３１を第１の凹条溝１４に係合させてジャンクションボックス本体１０に組み付けたときに、要保護外面１３に装着されたリレー１８およびヒューズ１９と干渉しない形状を有している。
【００３１】
第２のカバー５０は、要保護外面１３、一方の外面１１および他方の外面１２に沿って凹条溝長手方向に移動するようにジャンクションボックス本体１０を挟む溝形材状に形成され、ジャンクションボックス本体１０の挟む開口縁部に、前述の第２の凹条溝１５に摺動可能に係合する第２のリブ５１を有している。第２のリブ５１は、横断面において、リブ根元部の幅が狭く、リブ先端部の幅広いあり溝として形成されている。
【００３２】
第２のカバー５０は、第２のリブ５１を第２の凹条溝１５に係合させてジャンクションボックス本体１０に組み付けたときに、要保護外面１３に装着されたリレー１８およびヒューズ１９と干渉しない形状を有している。
【００３３】
第１のカバー３０および第２のカバー５０は、凹条溝長手方向に相互に近接させたときに内側と外側とに位置して重なり合う部分を有し、この重なり合う部分にカバー同士を固定するロック手段として、凸部３３と孔部５３とを有している。
【００３４】
具体的に説明すると、図４に示すように、第２のカバー５０は、第１のカバー３０および第２のカバー５０を凹条溝長手方向に相互に近接させたときに、第１のカバー３０の端部３２に外側から重なるオーバーラップ部５２を有している。すなわち、第１のカバー３０の端部３２および第２のカバー５０のオーバーラップ部５２は、前述の重なり合う部分を構成している。
【００３５】
また、第１のカバー３０および第２のカバー５０を凹条溝長手方向に相互に近接させたときに、第２のカバー５０のオーバーラップ部５２に形成した孔部５３に、第１のカバー３０の端部３２に形成した凸部３３が嵌まり込むようになっている。
【００３６】
第１のカバー３０は、第１のカバー３０を組み付けたジャンクションボックス本体１０を電線群２に載せたときに、電線群２に沿って延びるテープ巻き付け固定用張出部３４を有している。
【００３７】
第２のカバー５０は、第２のカバー５０を組み付けたジャンクションボックス本体１０を電線群２に載せたときに、電線群２に沿って延びるテープ巻き付け固定用張出部５４を有している。
【００３８】
テープ巻き付け固定用張出部３４，５４は、第１のカバー３０および第２のカバー５０を凹条溝長手方向に相互に近接させたときに、図中、上下に重なり合うように形成されており、先端部にテープ抜け止め用の突出部３４ａ，５４ａを有している。また、第２のカバー５０の前述のオーバーラップ部５２には、第１のカバー３０のテープ巻き付け固定用張出部３４が入り込む切欠き部５２ａが形成されている。
【００３９】
図１に示すように、第１のカバー３０および第２のカバー５０を組み付けたジャンクションボックス本体１０は、電線群２に載せた状態で、テープ巻き付け固定用張出部３４，５４および電線群２に粘着テープ７１を一体に巻き付けて形成したテープ巻き固定部７０により電線群２に固定されている。
【００４０】
第１のカバー３０および第２のカバー５０は、第１のカバー３０だけがテープ巻き付け固定用張出部３４を有する構成、あるいは第２のカバー５０だけがテープ巻き付け固定用張出部５４を有する構成を採っても、電線群２にジャンクションボックス３を固定することができる。
【００４１】
本実施の形態に係るジャンクションボックス３は、第１のカバー３０および第２のカバー５０の少なくとも一方に、第１のカバー３０および第２のカバー５０を組み付けたジャンクションボックス本体１０を電線群２に載せた状態で、電線群２に沿って延びるテープ巻き付け固定用張出部３４，５４を形成した構成であるので、電線群２およびテープ巻き付け固定用張出部３４，５４に粘着テープ７１を一体に巻き付けてテープ巻き固定部７０を形成することにより、電線群２に第１のカバー３０および第２のカバー５０を介してジャンクションボックス本体１０を容易に固定することができる。
【００４２】
本実施の形態に係るジャンクションボックス３は、第１のカバー３０および第２のカバー５０を、要保護外面１３、一方の外面１１および他方の外面１２に沿って凹条溝長手方向に移動するようにジャンクションボックス本体１０を挟む溝形材状に形成した構成であるので、第１のカバー３０および第２のカバー５０でジャンクションボックス本体１０の要保護外面１３を覆うことによって、ジャンクションボックス本体１０の要保護外面１３と他の部材との干渉を防止することができる。
【００４３】
本実施の形態に係るジャンクションボックス３は、第１の凹条溝１４および第２の凹条溝１５をあり溝として形成し、第１のリブ３１および第２のリブ５１をあり形として形成した構成であるので、第１の凹条溝１４および第２の凹条溝１５から第１のリブ３１および第２のリブ５１が、凹条溝長手方向に対して直交する方向に抜け出すことがない。
【００４４】
本実施の形態に係るジャンクションボックス３は、第１のカバー３０および第２のカバー５０を、ジャンクションボックス本体１０の要保護外面１３に装着した電装品であるリレー１８およびヒューズ１９と干渉しないように形成した構成であるので、第１のカバー３０および第２のカバー５０でジャンクションボックス本体１０の要保護外面１３に装着したリレー１８およびヒューズ１９を覆うことによって、リレー１８およびヒューズ１９と他の部材との干渉を防止することができる。
【００４５】
本実施の形態に係るジャンクションボックス３は、ジャンクションボックス本体１０の要保護外面１３、一方の外面１１および他方の外面１２以外の他の外面２０に、電線群２より分岐した電線２ａの端末が接続される電線接続用端子２１を有する構成であるので、ジャンクションボックス本体１０に電線群２より分岐した電線２ａの端末を容易に接続することができる。
【００４６】
本実施の形態に係るワイヤハーネス１は、第１のカバー３０および第２のカバー５０の少なくとも一方に、第１のカバー３０および第２のカバー５０を組み付けたジャンクションボックス本体１０を電線群２に載せた状態で、電線群２に沿って延びるテープ巻き付け固定用張出部３４，５４を形成した構成であるので、電線群２およびテープ巻き付け固定用張出部３４，５４に粘着テープ７１を一体に巻き付けてテープ巻き固定部７０を形成することにより、電線群２に第１のカバー３０および第２のカバー５０を介してジャンクションボックス本体１０を容易に固定することができる。
【００４７】
本実施の形態に係るワイヤハーネス１は、第１のカバー３０および第２のカバー５０を、要保護外面１３、一方の外面１１および他方の外面１２に沿って凹条溝長手方向に移動するようにジャンクションボックス本体１０を挟む溝形材状に形成した構成であるので、第１のカバー３０および第２のカバー５０でジャンクションボックス本体１０の要保護外面１３を覆うことによって、ジャンクションボックス本体１０の要保護外面１３と他の部材との干渉を防止することができる。
【００４８】
以上説明したように、本発明に係るジャンクションボックスおよびワイヤハーネスは、ジャンクションボックス本体を電線群に容易に固定することができ、ジャンクションボックス本体の要保護外面と他の部材との干渉を防止することができるという効果を有し、ジャンクションボックスおよびワイヤハーネス全般に有用である。
【符号の説明】
【００４９】
１  ワイヤハーネス
２  電線群
２ａ  電線
３  ジャンクションボックス
１０  ジャンクションボックス本体
１１，１２，２０  外面
１３  要保護外面
１４  第１の凹条溝
１５  第２の凹条溝
１８  リレー（電装品）
１９  ヒューズ（電装品）
２１  電線接続用端子
３０  第１のカバー
３１  第１のリブ
３２  端部（重なり合う部分）
３３  凸部（ロック手段）
３４，５４  テープ巻き付け固定用張出部
５０  第２のカバー
５１  第２のリブ
５２  オーバーラップ部（重なり合う部分）
５３  孔部（ロック手段）
７０  巻き固定部
７１  粘着テープ
【図１】
2016116335.tif 000003
【図２】
2016116335.tif 000004
【図３】
2016116335.tif 000005
【図４】
2016116335.tif 000006
【図５】
2016116335.tif 000007